(57)【要約】【課題】加熱コイル毎に使用情報を管理することができる高周波加熱装置の加熱コイル管理装置及び加熱コイル管理方法を提供することである。【解決手段】加熱コイル１に固有の識別情報が記録されたＩＣチップ６ａを当該加熱コイル１に装着する。前記ＩＣチップ６ａには加熱コイルの加熱実施回数等の使用情報が記録され、前記識別情報によって加熱コイルを識別し、且つ、ＩＣチップ６ａから加熱コイル１の使用情報を取得する取得手段１０を設けた。【選択図】図２
2010205531.tif 000002
【特許請求の範囲】
【請求項１】
ＩＣチップを備えたＩＤタグを加熱コイルに装着し、前記ＩＤタグのＩＣチップには加熱コイルの使用情報が記録され、前記ＩＣチップから加熱コイルの使用情報を取得する取得手段を設けたことを特徴とする高周波加熱装置の加熱コイル管理装置。
【請求項２】
固有の識別情報が記録されたＩＣチップを備えたＩＤタグを当該加熱コイルに装着し、前記ＩＣチップには加熱コイルの使用情報が記録され、前記識別情報によって加熱コイルを識別し、且つ、ＩＣチップから加熱コイルの使用情報を取得する取得手段を設けたことを特徴とする高周波加熱装置の加熱コイル管理装置。
【請求項３】
固有の識別情報は、使用者名，加熱コイルの型番，加熱コイルの製造年月日，加熱コイルの修理履歴，設置先の装置名，パスワードであることを特徴とする請求項２に記載の高周波加熱装置の加熱コイル管理装置。
【請求項４】
前記ＩＤタグは、電磁誘導を受けない素材，又は電磁誘導を受けにくい素材で構成されていることを特徴とする請求項１乃至請求項３のうちのいずれかに記載の高周波加熱装置の加熱コイル管理装置。
【請求項５】
前記ＩＣチップに記録される使用情報が、予め設定した所定条件に達したか否かを判定する判定手段を備えたことを特徴とする請求項１乃至請求項４のうちのいずれかに記載の高周波加熱装置の加熱コイル管理装置。
【請求項６】
前記判定手段は、高周波加熱装置に装着されている加熱コイルが交換された際に、新たに装着された加熱コイルの識別情報を取得することを特徴とする請求項５に記載の高周波加熱装置の加熱コイル管理装置。
【請求項７】
前記ＩＣチップに記録される使用情報は、加熱実施回数、加熱時における加熱コイルに供給される電力量、又は加熱コイルの温度のうちの少なくとも一つであることを特徴とする請求項１乃至請求項６のうちのいずれかに記載の高周波加熱装置の加熱コイル管理装置。
【請求項８】
加熱コイルの累積加熱実施回数が上限回数に達するか、加熱コイルに供給される電力量が上限電力量を超えるか、加熱コイルの温度が所定温度を超えた場合に警報を発することを特徴とする請求項７に記載の高周波加熱装置の加熱コイル管理装置。
【請求項９】
加熱コイルの使用情報は、予め別の記憶装置に記憶され、前記記憶装置に記憶された使用情報がＩＣチップへ書き込まれることを特徴とする請求項１乃至請求項８のうちのいずれかに記載の高周波加熱装置の加熱コイル管理装置。
【請求項１０】
前記記憶装置に所定量の加熱コイルの使用情報が蓄積されると、記憶装置に蓄積された加熱コイルの使用情報がＩＣチップへ書き込まれることを特徴とする請求項９に記載の高周波加熱装置の加熱コイル管理装置。
【請求項１１】
所定時間経過毎に、及び／又は、高周波加熱装置の電源が遮断される際に、記憶装置に蓄積された加熱コイルの使用情報がＩＣチップへ書き込まれることを特徴とする請求項９に記載の高周波加熱装置の加熱コイル管理装置。
【請求項１２】
個々の加熱コイルに対応する固有の識別情報が記録されたＩＣチップに、当該加熱コイルの使用情報を記録し、記録された使用情報が予め設定した所定条件に達すると、当該加熱コイルの使用を制限することを特徴とする高周波加熱装置の加熱コイル管理方法。
【請求項１３】
前記所定条件は、加熱コイルの累積加熱実施回数が上限回数に達するか、加熱コイルに供給される電力量が上限電力量を超えるか、加熱コイルの温度が所定温度を超えることであることを特徴とする請求項１２に記載の高周波加熱装置の加熱コイル管理方法。
【発明の詳細な説明】
【技術分野】
【０００１】
本発明は、高周波加熱装置の加熱コイルの使用情報を取得し、さらに管理する高周波加熱装置の加熱コイル管理装置及び加熱コイル管理方法に関するものである。
【背景技術】
【０００２】
高周波加熱装置に装着される加熱コイルは、誘導加熱が実施される度に消耗することは避けられない。この加熱コイルの消耗には、誘導加熱時にワークと所定間隔を空けるためのスペーサとの接触に起因するものと、加熱焼損によるものとが存在する。そのうち、スペーサとの接触に起因する消耗については、本件出願人の出願である特許文献１の発明で解決が図られているが、加熱焼損については、加熱コイル内に冷却液を供給する以外に有効な対策は未だ見出されていない。
【先行技術文献】
【特許文献】
【０００３】
【特許文献１】特開平８−２４６０３８号公報
【発明の概要】
【発明が解決しようとする課題】
【０００４】
そこで従来は、予め加熱コイル毎に使用回数の上限（耐用回数）を設定し、この耐用回数の範囲で誘導加熱を実施することにより、ワークの焼入品質を一定のレベル以上に保とうとしていた。
【０００５】
しかし、高周波加熱装置では、加熱対象のワークの大きさに応じて加熱コイルを取り替えなければならないので、加熱コイル毎に焼入回数を管理しなければならない。すなわち、加熱コイル毎に累積の焼入回数を管理しなければ、ワークの焼入品質を維持することは困難となる。加熱コイル毎に累積の焼入回数を管理するのは、ユーザにとって大変な負担であると共に、適切に累積の焼入回数が管理されなければ、ワークの焼入品質を一定レベル以上に維持するのが困難になる。
【０００６】
そこで本発明は上記事情に鑑み、加熱コイル毎に使用情報を管理することができる高周波加熱装置の加熱コイル管理装置及び加熱コイル管理方法を提供することを目的としている。
【課題を解決するための手段】
【０００７】
上記課題を解決するための請求項１の発明は、ＩＣチップを備えたＩＤタグを加熱コイルに装着し、前記ＩＤタグのＩＣチップには加熱コイルの使用情報が記録され、前記ＩＣチップから加熱コイルの使用情報を取得する取得手段を設けたことを特徴とする高周波加熱装置の加熱コイル管理装置である。
【０００８】
請求項１の発明では、ＩＣチップを備えたＩＤタグを加熱コイルに装着し、前記ＩＤタグのＩＣチップには加熱コイルの使用情報が記録される。これにより加熱コイルの使用情報をＩＣチップに蓄積することができる。また、前記ＩＣチップから加熱コイルの使用情報を取得する取得手段を設けたので、ＩＣチップに蓄積された使用情報を得ることができ、加熱コイルの使用状況を的確に把握することができる。
【０００９】
請求項２の発明は、固有の識別情報が記録されたＩＣチップを備えたＩＤタグを当該加熱コイルに装着し、前記ＩＣチップには加熱コイルの使用情報が記録され、前記識別情報によって加熱コイルを識別し、且つ、ＩＣチップから加熱コイルの使用情報を取得する取得手段を設けたことを特徴とする高周波加熱装置の加熱コイル管理装置である。
【００１０】
請求項２の発明では、固有の識別情報が記録されたＩＣチップを備えたＩＤタグを当該加熱コイルに装着したので、加熱コイルはＩＣチップによって識別可能である。また、ＩＣチップには加熱コイルの使用情報が記録され、ＩＣチップから加熱コイルの使用情報を取得する取得手段を設けたので、加熱コイルの使用情報を取得することができる。すなわち加熱コイルは、装着されたＩＤタグに備えたＩＣチップによって識別されるとともに、蓄積された使用情報が取得されて、加熱コイルの使用状態が把握される。
【００１１】
請求項３の発明は、固有の識別情報は、使用者名，加熱コイルの型番，加熱コイルの製造年月日，加熱コイルの修理履歴，設置先の装置名，パスワードであることを特徴とする請求項２に記載の高周波加熱装置の加熱コイル管理装置である。
【００１２】
請求項３の発明では、固有の識別情報は、使用者名，加熱コイルの型番，加熱コイルの製造年月日，加熱コイルの修理履歴，設置先の装置名，パスワードであるので、他の加熱コイルと確実に識別できる。パスワードとして、例えばコイルを識別するための数列を採用すると、個々の加熱コイルに固有の識別情報を構成し易い。
【００１３】
請求項４の発明は、前記ＩＤタグは、電磁誘導を受けない素材，又は電磁誘導を受けにくい素材で構成されていることを特徴とする請求項１乃至請求項３のうちのいずれかに記載の高周波加熱装置の加熱コイル管理装置である。
【００１４】
請求項４の発明では、ＩＤタグは、電磁誘導を受けない素材，又は電磁誘導を受けにくい素材で構成されているので、電磁誘導の影響を受けない，又は受けにくい。そのため、記録した使用情報や識別情報を確実に保存することができる。
【００１５】
請求項５の発明は、前記ＩＣチップに記録される使用情報が、予め設定した所定条件に達したか否かを判定する判定手段を備えたことを特徴とする請求項１乃至請求項４のうちのいずれかに記載の高周波加熱装置の加熱コイル管理装置である。
【００１６】
請求項５の発明では、ＩＣチップに記録される使用情報が、予め設定した所定条件に達したか否かを判定する判定手段を備えたので、加熱コイルの寿命を把握できる。
【００１７】
請求項６の発明は、前記判定手段は、高周波加熱装置に装着されている加熱コイルが交換された際に、新たに装着された加熱コイルの識別情報を取得することを特徴とする請求項５に記載の高周波加熱装置の加熱コイル管理装置である。
【００１８】
請求項６の発明では、判定手段は、高周波加熱装置に装着されている加熱コイルが交換された際に、新たに装着された加熱コイルの識別情報を取得するので、高周波加熱装置に誤った加熱コイルが装着されて焼入が実施されることを未然に防ぐことができる。
【００１９】
請求項７の発明は、前記ＩＣチップに記録される使用情報は、加熱実施回数、加熱時における加熱コイルに供給される電力量、又は加熱コイルの温度のうちの少なくとも一つであることを特徴とする請求項１乃至請求項６のうちのいずれかに記載の高周波加熱装置の加熱コイル管理装置である。
【００２０】
請求項７の発明では、加熱実施回数、加熱時における加熱コイルに供給される電力量、又は加熱コイルの温度のうちの少なくとも一つをＩＣチップに記録される使用情報とした。よって、加熱コイルの寿命を的確に把握できる。特に、加熱実施回数、加熱時における加熱コイルに供給される電力量を採用すると、加熱実施回数は積算値であり、電力量は積算量なので、加熱コイルに蓄積されたダメージの量が容易に把握でき、加熱コイルの使用限度を適切に判定するための情報を提供できる。
【００２１】
請求項８の発明は、加熱コイルの累積加熱実施回数が上限回数に達するか、加熱コイルに供給される電力量が上限電力量を超えるか、加熱コイルの温度が所定温度を超えた場合に警報を発することを特徴とする請求項７に記載の高周波加熱装置の加熱コイル管理装置である。
【００２２】
請求項８の発明では、加熱コイルの累積加熱実施回数が上限回数に達するか、加熱コイルに供給される電力量が上限電力量を超えるか、加熱コイルの温度が所定温度を超えた場合に警報を発するので安全性が高い。
【００２３】
請求項９の発明は、加熱コイルの使用情報は、予め別の記憶装置に記憶され、前記記憶装置に記憶された使用情報がＩＣチップへ書き込まれることを特徴とする請求項１乃至請求項８のうちのいずれかに記載の高周波加熱装置の加熱コイル管理装置である。
【００２４】
請求項９の発明では、加熱コイルの使用情報は、予め別の記憶装置に記憶され、前記記憶装置に記憶された使用情報がＩＣチップへ書き込まれる。よって、ＩＤタグの加熱コイルへの装着場所の選定の自由度が高まる。
【００２５】
請求項１０の発明は、前記記憶装置に所定量の加熱コイルの使用情報が蓄積されると、記憶装置に蓄積された加熱コイルの使用情報がＩＣチップに書き込まれることを特徴とする請求項９に記載の高周波加熱装置の加熱コイル管理装置である。
【００２６】
請求項１０の発明では、記憶装置に所定量の加熱コイルの使用情報が蓄積されると、記憶装置に蓄積された加熱コイルの使用情報がＩＣチップに書き込まれるので、加熱コイルが使用される度に使用情報を書き込まなくて済む。その際、記憶装置に記憶されている加熱コイルの使用情報は消去しても残しておいてもよい。仮に残しておくと、万が一、ＩＣチップに事故が発生しても、加熱コイルの使用情報は引き続き蓄積することができ、加熱コイルを適切に管理できる。
【００２７】
請求項１１の発明は、所定時間経過毎に、及び／又は、高周波加熱装置の電源が遮断される際に、記憶装置に蓄積された加熱コイルの使用情報がＩＣチップに書き込まれることを特徴とする請求項９に記載の高周波加熱装置の加熱コイル管理装置である。
【００２８】
請求項１１の発明では、所定時間経過毎に、及び／又は、高周波加熱装置の電源が遮断される際に、記憶装置に蓄積された加熱コイルの使用情報がＩＣチップへ書き込まれるので、加熱コイルが使用される度に使用情報を書き込まなくて済む。また、加熱コイルを高周波加熱装置から取り外す際には、必ず使用情報がＩＣチップに書き込まれるので、回収した加熱コイルから正確な使用情報を取得することができる。
【００２９】
請求項１２の発明は、個々の加熱コイルに対応する固有の識別情報が記録されたＩＣチップに、当該加熱コイルの使用情報を記録し、記録された使用情報が予め設定した所定条件に達すると、当該加熱コイルの使用を制限することを特徴とする高周波加熱装置の加熱コイル管理方法である。
【００３０】
請求項１２の発明では、個々の加熱コイルに対応する固有の識別情報が記録されたＩＣチップを使用するので、加熱コイルを確実に識別できる。また、加熱コイルの使用情報を当該ＩＣチップに記録するので、加熱コイル毎に使用情報を把握できる。さらに、記録された使用情報が予め設定した所定条件に達すると、当該加熱コイルの使用を制限するので、寿命を越えた加熱コイルの使用を未然に防ぐことができ、安全性が高い。加熱コイルの使用を制限する方法としては、例えば、給電を停止することが考えられる。
【００３１】
請求項１３の発明は、前記所定条件は、加熱コイルの累積加熱実施回数が上限回数に達するか、加熱コイルに供給される電力量が上限電力量を超えるか、加熱コイルの温度が所定温度を超えることであることを特徴とする請求項１２に記載の高周波加熱装置の加熱コイル管理方法である。
【００３２】
請求項１３の発明では、所定条件を、加熱コイルの累積加熱実施回数が上限回数に達するか、加熱コイルに供給される電力量が上限電力量を超えるか、加熱コイルの温度が所定温度を超えることとしたので、加熱コイルの損耗度合いを容易に把握できる。
【発明の効果】
【００３３】
本発明を実施することにより、従来は加熱コイル毎に焼入回数をメモで記録する必要があった煩雑な作業を不要にすることができ、利便性が飛躍的に向上する。焼入回数を確実に記憶することができるので、加熱コイルの耐用回数に達したか否かを容易に管理することができ、耐用回数が超えてワークの焼入品質が粗悪になることを防止することができる。
焼入回数を管理することができることにより、加熱コイルの劣化度合いを把握することができ、加熱コイルが消耗して冷却水漏れや変形を生じる前にメンテナンスを行うことができるようになる。
複数の加熱コイルを使用する場合においても、各加熱コイル毎にＩＤタグ（ＩＣチップ）を装着することにより、各加熱コイル毎に焼入情報を蓄積することができ、各加熱コイル毎に適切なタイミングでメンテナンスを行うことができるようになる。
【図面の簡単な説明】
【００３４】
【図１】本発明を実施した高周波加熱装置の加熱コイル体の正面図である。
【図２】高周波加熱装置に加熱コイル体が装着された状態におけるＩＣチップとＰＬＣとを示す信号系統図である。
【図３】高周波加熱装置から取り外された加熱コイル体のＩＣチップと、コンピュータとを示す信号系統図である。
【発明を実施するための形態】
【００３５】
図１は、本発明を実施した高周波加熱装置の加熱コイル体の正面図である。すなわち図１では、本発明の実施の一態様としてクランクシャフトを誘導加熱することができる加熱コイルを例にとって説明している。
【実施例】
【００３６】
図１に示すように高周波加熱装置の加熱コイル体１は半開放鞍型コイルであり、中空導体４からなる加熱コイル１ａの表側（紙面の手前側）と裏側（紙面の向こう側）とを側板２，３で挟んだ構造を呈している。中空導体４の内部には冷却水が供給される。
【００３７】
焼入時に、加熱コイル１ａに対向配置されるワーク９は、側板２，３に固着されたスペーサ７Ａ〜７Ｃに当接することにより、加熱コイル１ａとの間に、焼入に適した所定間隔を保つことができるようになっている。また、側板２，３の下方には冷却ジャケット８Ａ，８Ｂが装着されており、加熱コイル１ａに対向配置したワーク９に対して冷却水を噴射することができるようになっている。
【００３８】
加熱コイル体１の上方には、図示しないカレントトランス及び電源ユニット（高周波発振器）が配置されている。電源が投入されると、カレントトランスを介して加熱コイル１ａ（中空導体４）には電磁誘導によって高周波電流が流れ、ワーク９が誘導加熱（すなわち、加熱）される。
【００３９】
以上説明した構成を備えた加熱コイル体１の加熱コイル１ａ（中空導体４）には、ＩＣチップ６ａを内蔵するＩＤタグ６が、例えば接着によって取り付けられている。ＩＤタグ６は非磁性で且つ耐熱性を有する素材で構成されており、電磁誘導の影響を受けない。ＩＣチップ６ａはＲＦＩＤ（Ｒａｄｉｏ  Ｆｒｅｑｕｅｎｃｙ  Ｉｄｅｎｔｉｆｉｃａｔｉｏｎ）であり、無線によってデータの送受信を行う。ＩＣチップ６ａは、無線で信号の送受信を行うのが好ましいが、有線式とすることもできる。
【００４０】
また、高周波加熱装置側にはＩＣチップ６ａとデータの送受信を行うＰＬＣ１２（Ｐｒｏｇｒａｍｍａｂｌｅ  Ｌｏｇｉｃ  Ｃｏｎｔｒｏｌｌｅｒ）（図２）が設けられている。ＰＬＣ１２には、高周波加熱装置の加熱実施回数，印加された電力量（出力電圧，電力，周波数）や加熱時間，冷却水流量等の加熱情報（加熱コイルの使用情報）が記憶される。すなわち、ＰＬＣ１２はＩＣチップ６ａとは別の記憶装置として機能する。
【００４１】
以下では、図２及び図３を参照しながらＩＤタグ６に内蔵したＩＣチップ６ａの機能を説明する。図２は、高周波加熱装置に加熱コイル体が装着された状態におけるＩＣチップとＰＬＣとを示す信号系統図である。また、図３は、高周波加熱装置から取り外された加熱コイル体のＩＣチップと、コンピュータとを示す信号系統図である。
【００４２】
ＩＣチップ６ａには、固有値（固有の識別情報）が記憶されている。すなわち、ＩＤタグ６が取り付けられた加熱コイル体１は、ＩＣチップ６ａに記憶されている固有値によって他の加熱コイル体と識別できるようになっている。ＩＣチップ６ａには固有値として、例えば使用者名，コイル型番，製造年月日，加熱コイルの修理履歴，装着先の装置（ワーク番号），コイル識別用数列（パスワード），及び加熱回数が記憶される。また、ＩＣチップ６ａは、所定の記憶容量を有しており、上述のＰＬＣ１２に記憶される加熱情報（加熱コイルの使用情報）や、加熱条件（出力電圧，電力，周波数，加熱時間，冷却時間，印加電力量）を記憶することができる。また、焼入に要するサイクルタイムや、冷却水流量，焼入水流量等の設備の運転状況を記憶させることもできる。
【００４３】
図２に示すように高周波加熱装置側に装着されたＰＬＣ１２には、アンプ１１を介してヘッド１０が接続されている。ヘッド１０は、無線によって加熱コイル側のＩＣチップ６ａと通信を行い、ＩＣチップ６ａに記憶されている固有値を読み出してＰＬＣ１２に伝達したり、ＩＣチップ６ａに加熱情報を書き込んだりする機能を有している。アンプ１１は、ＩＣチップ６ａに伝達される信号を増幅したり、ＩＣチップ６ａから読み取られた信号を増幅してＰＬＣ１２に伝達する機能を有する。図２では、符号１４で示す配線によってＩＣチップ６ａとヘッド１０とが接続されている状態を示しているが、両者間の通信は、無線，有線のいずれで行っても差し支えない。ただし、加熱コイル体１は、高周波加熱装置に対して着脱されるので、無線式を採用するのが好ましい。
【００４４】
また、高周波加熱装置から加熱コイル体１を取り外し、メンテナンス用のパーソナルコンピュータ１３（判定手段）の近くに配置することにより、ＩＣチップ６ａとパーソナルコンピュータ１３との間で無線通信が行われる。図３では、符号１５で示す配線によってＩＣチップ６ａとパーソナルコンピュータ１３とが接続されている状態を示しているが、両者間の通信は、無線，有線のいずれで行っても差し支えない。ただし有線式であれば、上述の理由に加え、ＩＣチップ６ａとパーソナルコンピュータ１３とを結線する必要があるので、やはり無線式の方が好ましい。
【００４５】
上述のように、ＩＣチップ６ａは、焼入時にはＰＬＣ１２と通信を行い、メンテナンス時には加熱コイル体１毎取り外されて別の場所まで移送され、移送先にあるメンテナンス用のパーソナルコンピュータ１３と通信を行う。パーソナルコンピュータ１３は記憶装置１３ａ（固定ディスク等）を備えており、記憶装置１３ａには、加熱コイル体１の許容値（許容加熱回数，許容加熱時間，許容印加電力量，許容加熱温度等）が記憶されている。
【００４６】
そしてパーソナルコンピュータ１３は、許容値と、ＩＣチップ６ａから得られた焼入情報や加熱情報とを比較し、加熱コイル体１（加熱コイル１ａ）の診断（すなわち判定）を実施する。仮に、加熱回数等が許容値を超えていれば、それ以上の使用は無理であると判定し、加熱導体４の取替等のメンテナンスが実施される。逆に加熱回数等が許容値に達していなければ、パーソナルコンピュータ１３は、当該加熱コイル体１の継続使用が可能であると判定する。
【００４７】
高周波加熱装置は、様々な大きさのワーク９の焼入を行う。そのため、ワーク９の大きさに応じた加熱コイル体１が使用可能（取替可能）に予め準備されている。これらの加熱コイル体１には、上述のＩＤタグ６が取り付けられており、ＩＤタグ６に内蔵されるＩＣチップ６ａには固有値が記憶されている。よって、各加熱コイル体１は、このＩＣチップ６ａに記憶されている固有値によって他の加熱コイル体と識別される。
【００４８】
高周波加熱装置に加熱コイル体１が装着されると、ＰＬＣ１２は、まずＩＣチップ６ａに記憶されている固有値を読み取る。
上述のようにＰＬＣ１２は各種の加熱情報が記憶可能である。さらに説明すると、ＰＬＣ１２は、複数の加熱コイル体毎に加熱情報を記憶する。
【００４９】
高周波加熱装置から加熱コイル体１が取り外されても、ＰＬＣ１２における当該加熱コイル体１の加熱情報の記憶は保持されており、再度同じ加熱コイル体１が装着されると、ＰＬＣ１２は当該加熱コイル体１の加熱情報を読み出し、加熱情報を累積書き込みする、或いは上書きする。すなわち、高周波加熱装置側のＰＬＣ１２には、各加熱コイル体１の使用情報が蓄積される。
【００５０】
ＰＬＣ１２に蓄積された加熱コイル体１の使用情報は、当該加熱コイル体１に装着されているＩＤタグ６のＩＣチップ６ａに書き込まれる。
ＰＬＣ１２からＩＣチップ６ａに使用情報を書き込むタイミングは、例えば焼入回数が所定回数（１０回，１００回等）に達する毎や、焼入時間が所定時間（１００時間，２００時間等）毎に設定することができる。
【００５１】
すなわち、ＰＬＣ１２には焼入を実施する度に焼入情報（使用情報）を記憶し、ＩＣチップ６ａには上述のように所定のタイミング毎に焼入情報を記憶する。また、高周波加熱装置の電源を遮断する際には、上記条件を満たしていなくてもＰＬＣ１２からＩＣチップ６ａに使用情報が書き込まれるようにするのが好ましい。むろん、焼入れを実施する度毎にＩＣチップ６ａに焼入情報を書き込んでもよい。
【００５２】
ＰＬＣ１２やＩＣチップ６ａに書き込まれる焼入情報（使用情報）としては、加熱コイル体１の製造年月日，製造者（製造会社），型式，対象装置（設備），焼入対象ワーク，焼入回数（加熱回数），修理年月日，修理内容，修理担当者名，加熱情報（電圧，電力，周波数，加熱時間，冷却水流量），独自の数列（加熱コイル体識別用パスワード）等とすることができる。
【００５３】
また、ＰＬＣ１２には、焼入を実施する度に高周波加熱装置の加熱情報が蓄積される。すなわち、上述の焼入情報は、各加熱コイル体１の焼入情報であると共に、高周波加熱装置の加熱情報でもある。
【００５４】
ＰＬＣ１２には、各加熱コイル体１毎に焼入情報が区別して記憶されるが、それらを集計することにより、高周波加熱装置の焼入情報として利用することもできるようになる。よってＩＣチップ６ａには、装着された加熱コイル体１の焼入情報とは別に、高周波加熱装置の加熱情報（他の加熱コイル体の加熱情報も含めた集計値）も記憶すると、メンテナンス時に回収された加熱コイル体１（ＩＣチップ６ａ）によって、高周波加熱装置の使用状態も診断することができるようになる。
すなわち、回収された加熱コイル体１（ＩＣチップ６ａ）に記憶された焼入情報と加熱情報とがパーソナルコンピュータ１３（判定手段）によって読み出され、加熱コイル１ａの使用状態の判定が行われる。
【００５５】
以上、説明した高周波加熱装置の加熱コイル管理装置の使用の一態様を説明する。
管理される加熱コイルが出荷されると、加熱コイルに装着されるＩＣチップに、まず使用者名，コイルの型番，製造年月日，加熱コイルの修理履歴，装着先の装置（当該装置における本加熱コイルの識別番号）,コイル識別用数列（パスワード）が書き込まれる。
【００５６】
ＩＣチップ６ａに書き込まれたパスワードは、高周波加熱装置側に設けたヘッド１０によって読み取られ、ＰＬＣ１２によって高周波加熱装置に対応する加熱コイルであるか否かが判定される。すなわち、パスワードが認識されれば、装着した加熱コイルは当該高周波加熱装置に対応するものであり、パスワードが認識不能なものであるか、又はパスワード自体が読み込めない場合には、装着された加熱コイルは当該高周波加熱装置に対応しないものであると判定される。これにより、高周波加熱装置に対応する加熱コイルのみを使用してワークの加熱を実施することができるようになり、適合しない加熱コイルによる不測の事故を未然に回避することができる。
【００５７】
次に、実際に当該加熱コイルによって誘導加熱が実施されると、その都度、ＰＬＣには加熱回数が記録される。そして、焼入するワークの種別が変更される場合には、加熱コイルの交換が行われる。高周波加熱装置に装着されている加熱コイルは、まず、図示しない取り外しボタンを押すことから開始される。すなわち、取り外しボタンが押されると、ＰＬＣ側から加熱コイルに装着されているＩＣチップ側に最新の焼入情報，加熱情報が書き込まれる。その際、上述の加熱条件や設備運転状況も同時に書き込まれる。
【００５８】
この取り外しが、加熱コイルのメンテナンスを実施するためであれば、メンテナンス会社は、ＩＣチップから焼入情報，加熱条件，修理履歴等を読み出す。そして、必要なメンテナンスを実施した後に、ＩＣチップにはメンテナンスを実施した日時を書き込み、再度出荷する。
【００５９】
この加熱コイルが使用者に戻され、当該加熱コイルでワークを焼入する際には、まず、ＩＣチップから焼入情報や加熱条件等がＰＬＣに読み取られる。その際、仮にＰＬＣがＩＣチップから必要な情報が読み取れなかったり、対応する加熱コイルではないと判定した場合には警報を発し、使用者に注意を喚起する。また、高周波焼入装置側にリミッタを設けておき、ＩＣチップが認識できない加熱コイル体が装着された際には、ワークの焼入が実施できないようにすることもできる。すなわち、品質が保証できない加熱コイルでワークが誘導加熱されることによって生じるワークの焼入不良を防止することができる。
【００６０】
また、本発明を実施すると、各加熱コイルの状態を管理することができるので、定期点検や部品交換等を適切に実施することが可能になる。
さらに、焼入情報や加熱情報を、パネル表示することによって、使用者が加熱コイルの状態を把握しながらワークの焼入を実施でき、所定の焼入品質を維持することができる。
【産業上の利用可能性】
【００６１】
本発明は、高周波加熱装置の加熱コイルの使用状況を把握することに利用できる。
【符号の説明】
【００６２】
１    加熱コイル体
１ａ  加熱コイル
４    中空導体（加熱コイル１ａ）
６    ＩＤタグ
６ａ  ＩＣチップ
９    ワーク
１０    ヘッド（読み取り装置）
１２    ＰＬＣ（別の記憶装置）
１３    パーソナルコンピュータ
【図１】
2010205531.tif 000003
【図２】
2010205531.tif 000004
【図３】
2010205531.tif 000005